(57)【要約】【課題】床に溜まった水や洗浄水などを、フロアドライヤなどの水掃き用具を使用して排水口に効率良く掃き集めて排水できるようにする。【解決手段】この装置１は、床面３２上の水を排水口３３に掃き集める際、掃いた水が排水口３３に集中し易くなるようにその排水口３３を中心にして床面３２に沿って放射状に設けられる複数の導水板４を備えている。作業者は、この装置１を床面３２に設置した後、フロアドライヤを使用して床面３２上の水を排水口３３に掃き集める作業を行う。排水口３３に向けて掃いた水の一部が排水口３３の脇に逸れてもそれが導水板４に遮られて排水口３３に集められる。【選択図】図５
2006087624.tif 000002
【特許請求の範囲】
【請求項１】
床清掃作業時に床に設置される清掃用具であって、
床面上の水をその床面に開口した排水口に掃き集める際、掃いた水が排水口に集中し易くなるようにその排水口を中心にして床面に沿って放射状に設けられる複数の導水板を備えたことを特徴とする床排水口用導水装置。
【請求項２】
排水口上に立設される本体シャフトと、
本体シャフトの下端部に固定された固定支持部材とを備え、
前記複数の導水板は、固定支持部材を介して互いに回動自在に連結され、不使用時や搬送時には本体シャフトの上端側に回動させて畳んでおき、使用する際に放射状に広げることができるように構成されていることを特徴とする請求項１または２記載の床排水口用導水装置。
【請求項３】
前記複数の導水板は、設置される床面の勾配に合わせて傾きを調節可能であることを特徴とする請求項１または２記載の床排水口用導水装置。
【請求項４】
前記本体シャフトの下端に、排水口に係合する係合部材が設けられていることを特徴とする請求項２または３記載の床排水口用導水装置。
【請求項５】
前記係合部材は、排水口内の排水パイプの上端部外面または上端部内面に圧接した状態で係合する複数の弾性部材を有することを特徴とする請求項４記載の床排水口用導水装置。
【請求項６】
前記係合部材は、排水口を塞いでいる通水目皿に係合する爪部を有していることを特徴とする請求項４または５記載の床排水口用導水装置。
【発明の詳細な説明】
【技術分野】
【０００１】
本発明は床清掃関連の技術分野に属し、詳細には、床に溜まった水や洗浄水などを排水口に効率良く掃き集めて排水できるようにするための技術に属する。
【背景技術】
【０００２】
床に溜まった水や洗浄水などを排水口に掃き集めて排水する作業は、フロアドライヤ（フロアワイパとも呼ばれる。）やフロアブラシなどの水掃き用具を用いて行われることが多い。この種の水掃き用具の中でも、屋外運動場、プール、オフィス、店舗、工場、駅などの広い床面を清掃する場合は、フロアドライヤが多く用いられる。図８に示すように、フロアドライヤ２９は、柄３０の先端に水切り（水掃き）用の幅広のへら３１を備えており、そのへら３１の先端部（下縁部）を床面３２に接触させた状態で柄３０を押す（あるいは引く）ことにより、床面３２上の洗浄水などを掃き除くことができる（特許文献１、特許文献２参照）。
【０００３】
しかし、図９に示すように、床に設けられている排水口３３の内径φは、フロアドライヤ２９のへら３１の幅Ｗよりも小さため、床面３２上の洗浄水などをフロアドライヤ２９を使用して排水口３３に導入しようとしても、へら３１によって押された洗浄水などの多くは排水口３３に入ることなくその脇を通り過ぎてしまう。このため、排水口３３の周りで洗浄水などを何度も行ったり来たりさせることになり、床清掃作業に多くの時間と手間を要していた。
【特許文献１】特開２０００−３３０６５号
【特許文献２】特開２０００−５１２６号
【発明の開示】
【発明が解決しようとする課題】
【０００４】
本発明が解決しようとする課題は、床に溜まった水や洗浄水などを、フロアドライヤなどの水掃き用具を使用して排水口に効率良く掃き集めて排水できるようにする床排水口用導水装置を提供することにある。
【課題を解決するための手段】
【０００５】
本発明の床排水口用導水装置は、床面上の水をその床面に開口した排水口に掃き集める際、掃いた水が排水口に集中し易くなるようにその排水口を中心にして床面に沿って放射状に設けられる複数の導水板を備えている。
【０００６】
この装置を清掃する床に設置して、床に溜まった水や洗浄水などを、フロアドライヤなどの水掃き用具を使用して排水口に掃き集める作業を行えば、排水口に向けて掃いた水の一部が排水口の脇に逸れてしまった場合でも、その逸れてしまった水の一部が導水板に遮られて排水口に集められる。したがって、この装置を使用することにより、床に溜まった水や洗浄水などを、排水口に効率良く掃き集めて排水することができる。
【０００７】
本発明の床排水口用導水装置は、上記構成に加えて、排水口上に立設される本体シャフトと、本体シャフトの下端部（設置した時に下になる方の端部）に固定された固定支持部材とを備え、前記複数の導水板は、固定支持部材を介して互いに回動自在に連結されており、不使用時や搬送時には本体シャフトの上端（設置した時に上になる方の端）側に回動させて畳んでおき、使用する際に放射状に広げることができるように構成されていることが望ましい。
【０００８】
また、前記導水板は、設置される床面の勾配に合わせて傾きを調節可能であることが望ましい。
【０００９】
また、前記本体シャフトの下端に、排水口に係合する係合部材が設けられていることが望ましい。
【００１０】
また、前記係合部材は、排水口に接続された排水パイプの上端部外面または上端部内面に圧接した状態で係合する複数の弾性部材を有することが望ましい。弾性部材は、排水パイプを傷付けないようにして着脱できる構造・材質の弾性体（Ｓ字ばね、樹脂被覆ばね、硬質ゴム、等）であることが望ましい。
【００１１】
また、前記係合部材は、排水口を塞いでいる通水目皿（通水蓋）に係合する爪部を有していることが望ましい。
【発明の効果】
【００１２】
本発明の床排水口用導水装置によれば、これを床面に設置して清掃作業を行うことにより、床に溜まった水や洗浄水などを、フロアドライヤなどの水掃き用具を用いて排水口に効率良く掃き集めて排水することができる。
【発明を実施するための最良の形態】
【００１３】
以下、図面を参照して本発明の実施形態について説明する。
【００１４】
図１は本発明にかかる床排水口用導水装置の形態例を示す正面図（側面図）である。図２は図１の装置の導水板を畳んだ状態を示す正面図（側面図）である。図３は図１のＡ−Ａ’断面図である。図４、図５および図６は図１の装置を床に設置した状態を示す要部縦断面図である。
【００１５】
この床排水口用導水装置１は、排水口３３上に立設される本体シャフト２と、本体シャフト２の下端部に固定された固定支持部材３と、固定支持部材３を介して互いに回動自在に連結された３枚の導水板４-1〜４-3と、これら３枚の導水板４-1〜４-3を同時に同じ方向に回動させて広げたり畳んだりするためのリンク機構５とを備えている。また、本体シャフト２の下端には、排水口３３に係合する係合部材８が設けられている。
【００１６】
本体シャフト２は、金属（アルミニウム、スチール）製のストレートパイプである。本体シャフト２の上端部には持手１６が設けられている。
【００１７】
固定支持部材３は、本体シャフト２の下端部外面に密に嵌合させて固定された円筒形の胴部３ａと、胴部３ａの外面から三方向に放射状に張り出したヒンジ部３ｂとを有する。これら３つのヒンジ部３ｂは、胴部３ａの周方向に等間隔に設けられている。すなわち、胴部３ａの中心点（仮想点）と互いに隣接する２つのヒンジ部３ｂの中心点（仮想点）とを結ぶ２本の線の間の角度は約１２０度である。
【００１８】
各導水板４-1〜４-3は、固定支持部材３のヒンジ部３ｂに一端が支軸３ｃを介して連結されて上下方向に回動自在に保持された導水板本体４ａと、導水板本体４ａの下縁部に固定された導水ゴム４ｂとからなる。導水板本体４ａは金属（アルミニウム、スチール）製あるいは硬質プラスチック製の部材である。導水ゴム４ｂは、合成ゴム、シリコン等の弾力性を有する材料からなる。導水ゴム４ｂは交換可能である。
【００１９】
リンク機構５は、本体シャフト２にスライド自在に装着された可動支持部材６と、可動支持部材６と導水板本体４ａとを各々連結する３本のリンク部材７とを備えて構成される。
【００２０】
可動支持部材６は、本体シャフト２の外周面と接触してスライドする円筒形の胴部６ａと、胴部６ａの下部外面から三方向に放射状に張り出したヒンジ部６ｂとを有する。これら３つのヒンジ部６ｂは、胴部６ａの周方向に等間隔に設けられている。すなわち、胴部６ａの中心点（仮想点）と互いに隣接する２つのヒンジ部６ｂの中心点（仮想点）とを結ぶ２本の線の間の角度は約１２０度である。可動支持部材６の３つのヒンジ部６ｂと固定支持部材３の３つのヒンジ部３ｂは、本体シャフト２の軸方向において互いに重なった位置関係になっている。
【００２１】
各リンク部材７の一端はヒンジ部６ｂに、他端は導水板本体４ａの中間部に、それぞれ支軸６ｃを介して回動可能に連結されている。
【００２２】
可動支持部材６の胴部６ａの上端近傍には、ナット１５が溶接固定されている。そして、胴部６ａの側壁には、ナット１５のねじ孔と連通する貫通孔６ｄが形成されている。ナット１５のねじ孔には棒ねじ１１が螺合して装着されている。棒ねじ１１の外側端部には、ハンドル１０が固定されており、ハンドル１０を棒ねじ１１が締まる向き（以下、固定方向と記す。）に回すことにより、可動支持部材６を本体シャフト２の任意の位置に固定でき、ハンドル１０を棒ねじ１１が締まる向きとは逆向き（以下、固定解除方向と記す。）に回すことにより、固定を解除できるようになっている。すなわち、ハンドル１０を固定方向に回すと、棒ねじ１１が胴部６ａ内に突出して、棒ねじ１１の内側先端が本体シャフト２の外面に圧接し、その結果、可動支持部材６が本体シャフト２に固定された状態になる。一方、ハンドル１０を固定解除方向に回すと、棒ねじ１１の内側先端が本体シャフト２から離れ、本体シャフト２に対する可動支持部材６の固定が解除された状態になる。
【００２３】
係合部材８は、目皿係合部材１２と、パイプ係合部材１３と、パイプ係合部材固定用蝶ねじ（以下、単に蝶ねじと記す。）１４とを有している。
【００２４】
目皿係合部材１２は、本体シャフト２の下端に強固に固定された金属製の端板１２ａと、端板１２ａの下面（外面）より下方に突出した複数（この例では２つ）の爪１２ｂとからなる。端板１２ａの中央部には、蝶ねじ１４が螺合装着されるねじ孔１２ｃ（図６参照）が設けられている。
【００２５】
パイプ係合部材１３は、端板１２ａの下面に脱着自在に接合される金属製の基板１３ａと、基板１３ａの周縁部４箇所に固定されたＳ字ばね１３ｂとで構成されている。基板１３ａの中央部には、蝶ねじ１４が挿通される貫通孔１３ｃ（図４、図５参照）が設けられている。また、図７に示すように、基板１３ａの周縁部には、端板１２ａの爪１２ｂを避ける位置に切欠部１３ｄが設けられている。
【００２６】
パイプ係合部材１３は、その基板１３ａを目皿係合部材１２の端板１２ａに重ねた状態で、蝶ねじ１４を貫通孔１３ｃを通して端板１２ａのねじ孔１２ｃに挿入し締め付けることにより、本体シャフト２の下端部に固定されている。すなわち、パイプ係合部材１３は、必要に応じて本体シャフト２から取り外したり取り付けたりできるようになっている。
【００２７】
つぎに、この形態例の作用について説明する。
【００２８】
この床排水口用導水装置１は、ハンドル１０を固定解除方向に回して本体シャフト２に対する可動支持部材６の固定を解除した後、可動支持部材６を本体シャフト２に沿ってスライドさせることにより、３枚の導水板４-1〜４-3を同時に同じ方向に回動させて、図１および図３に示すように放射状に広げたり、図２に示すように畳んだりすることができる。
【００２９】
床排水口用導水装置１を使用する際には、図１に示すように、導水板４-1〜４-3をほぼ最大に広げた状態で、ハンドル１０を固定方向に回して、可動支持部材６を本体シャフト２にしっかりと固定する。そして、床排水口用導水装置１を清掃作業を行う床面３２に設置する。床排水口用導水装置１は、３方に張り出した導水板４-1〜４-3によって自立する。このとき導水板４-1〜４-3は、導水ゴム４ｂが床面３２に倣って変形することにより、多くの場合はそのまま状態で床面３２にほぼ均一に接触するが、排水口３３周りの床面３２の勾配が大きい、不均一である、など何らかの理由で、床面３２と導水ゴム４ｂとの間に大きな隙間ができた場合や、接触が不均一になっている場合は、可動支持部材６の固定を一旦解除して、導水板４-1〜４-3の導水ゴム４ｂが床面とできるだけ均等に接するように導水板４-1〜４-4の傾きを調節してから再度固定する。
【００３０】
床排水口用導水装置１を床面に設置する際、排水口３３に設けられている通水目皿３５を取り外すことができるならば、図４または図５に示すように、排水口３３から通水目皿３５を取り外した後、本体シャフト２の下端に固定されている係合部材８のＳ字ばね１３ｂの部分を排水口３３に挿入して、４本のＳ字ばね１３ｂを排水口３３に接続された排水パイプ３４の上端部外面３４ａ（図４の場合）または上端部内面３４ｂ（図５の場合）に４方から圧接させて係合させる。図４は、排水口３３内に排水トラップ３６が形成されている場合（排水パイプが細い場合）であり、この場合、Ｓ字ばね１３ｂの下側の湾曲部の内面が排水パイプ３４の外面に圧接する。図５は、排水口３３に排水パイプ３４が直に接続されている場合（排水パイプが太い場合）であり、この場合、Ｓ字ばね１３ｂの上側の湾曲部の外面が排水パイプ３４の内面に圧接する。このように、本体シャフト２の下端部に設けられたＳ字ばね１３ｂを排水口３３内の排水パイプ３４に４方から圧接させて係合させることにより、本体シャフト２を排水口３３の中心部に配置できるとともに清掃作業中における装置１の位置ずれを防止できる。
【００３１】
排水口３３に設けられている通水目皿３５を取り外すことができない場合は、蝶ねじ１４を緩めてパイプ係合部材１３を本体シャフト２から取り外し、図６に示すように目皿係合部材１２の爪１２ｂを通水目皿３５の目地孔に係合させる。これにより清掃作業中における装置の位置ずれを防止できる。
【００３２】
清掃作業者は、床排水口用導水装置１を床面３２に設置した後、フロアドライヤなどの水掃き用具を使用して、床面３２に溜まった水や洗浄水などを排水口３３に掃き集める作業を行う。床排水口用導水装置１を床面３２に設置して清掃作業を行うことにより、排水口３３に向けて掃いた水が導水板４-1〜４-3によって集められて排水口３３に流れ込むようになるため、清掃作業を能率良く行うことができる。
【００３３】
なお、上記の例では導水板を３枚備えた装置構成を示したが、導水板を４枚以上あるいは２枚だけ備えた装置構成とすることも可能である。
【００３４】
また、上記の例では導水板の導水ゴムを交換可能としたが、導水板自体を他のサイズの導水板に交換できるように構成してもよい。また、導水ゴムの素材は合成ゴムでも天然ゴムでもよい。床面に倣って変形し得るものであり且つ複数回の使用に耐え得る耐久性を有するものであれば、どのような材質のものを使用してもよい。また、導水ゴムの代わりにブラシ状の導水部材を使用してもよい。
【００３５】
また、導水板の導水板本体と導水ゴムとを一体化させてもよい。この形態には、導水板を硬質の部材のみで構成したもの、導水板を床面に倣って変形し得る部材のみで構成したもの、導水ゴムが導水板本体に完全に一体化させて固定（交換不能に固定）されているもの、等が含まれる。
【００３６】
また、排水パイプに係合する部材としてＳ字ばねを用いたが、コイルばねや板ばねなどその他のばねを用いてもよいし、排水パイプに安定に係合得るものであれば、ゴム、プラスチックなどその他の素材からなる部材を用いてもよい。
【図面の簡単な説明】
【００３７】
【図１】本発明にかかる床排水口用導水装置の形態例を示す正面図
【図２】図１の装置の導水板を畳んだ状態を示す正面図
【図３】図１のＡ−Ａ’断面図
【図４】図１の装置を床に設置した形態例を示す要部縦断面図
【図５】図１の装置を床に設置した形態例を示す要部縦断面図
【図６】図１の装置を床に設置した形態例を示す要部縦断面図
【図７】図１の装置の係合部材の構造を示す底面図
【図８】（ａ）はフロアドライヤの構造を示す部分斜視図、（ｂ）はフロアドライヤを押して床面の水を掃いている様子を示す概念図、（ｃ）はフロアドライヤを引いて床面の水を掃いている様子を示す概念図
【図９】排水口の径とフロアドライヤの幅の大小関係を示す図
【符号の説明】
【００３８】
１  床排水口用導水装置
２  本体シャフト
３  固定支持部材
４-1〜４-3  導水板
４ａ  導水板本体
４ｂ  導水ゴム
５  リンク機構
６  可動支持部材
７  リンク部材
８  係合部材
１０  ハンドル
１２  目皿係合部材
１２ｂ  爪
１３  パイプ係合部材
１３ｂ  Ｓ字ばね
１４  パイプ係合部材固定用蝶ねじ
３２  床面
３３  排水口
３４  排水パイプ
３５  通水目皿
３６  排水トラップ
【図１】
2006087624.tif 000003
【図２】
2006087624.tif 000004
【図３】
2006087624.tif 000005
【図４】
2006087624.tif 000006
【図５】
2006087624.tif 000007
【図６】
2006087624.tif 000008
【図７】
2006087624.tif 000009
【図８】
2006087624.tif 000010
【図９】
2006087624.tif 000011